(57)【要約】【課題】プラスチック成形機近くのプラスチック成形工場内の空いた狭いスペース等に設置して、誰でもが手軽にかつ便利に使用可能な、軽量で簡易な構造をした小型のプラスチック廃材粉砕機を提供する。【解決手段】ケーシング１０内上部とその下部とに回転自在に軸支された大径回転刃車２０と小径回転刃車３０とを同期回転させる歯車機構６０を、電動モータ５０が配置された側とは反対側のケーシング１０外部の他方の側に配置する。電動モータ５０が配置された側に露出したケーシング１０外側壁には、減速機構付きの電動モータ５０を縦方向に起立させて搭載する。そして、電動モータ５０を搭載するベースに、ケーシング１０外側壁を利用する。そして、プラスチック廃材粉砕機を簡易化して、プラスチック廃材粉砕機の横方向の長さを短縮化する。【選択図】図１
2007244967.tif 000002
【特許請求の範囲】
【請求項１】
ケーシング内上部にプラスチック廃材を粗く砕く複数の粗砕刃を並べて持つ大径回転刃車が櫛刃状をした大型固定刃と噛み合わせた状態で回転自在に軸支され、前記ケーシング内下部に前記大径回転刃車と大型固定刃とにより粗く砕かれてケーシング内を落下するプラスチック粗砕材をさらに細かく砕く複数の粉砕刃を並べて持つ小径回転刃車が櫛刃状をした小型固定刃と噛み合わせた状態で回転自在に軸支され、
前記ケーシング外部に前記大径回転刃車の回転軸と小径回転刃車の回転軸とを互いに連結して、それらの大径回転刃車と小径回転刃車とを同期回転させる歯車機構と、該歯車機構を作動させる減速機構付きの電動モータとが配置された構造のプラスチック廃材粉砕機において、
前記電動モータがケーシング外部の一方の側に配置されると共に、前記歯車機構が、電動モータが配置された側とは反対側のケーシング外部の他方の側に配置されて、前記電動モータの駆動軸の回転力が、前記小径回転刃車の回転軸を介して、前記ケーシング外部の他方の側に配置された歯車機構に伝達されるように構成されたことを特徴とするプラスチック廃材粉砕機。
【発明の詳細な説明】
【技術分野】
【０００１】
本発明は、プラスチック成形工場から発生するプラスチックのランナーや不良成形品などのプラスチック廃材、家庭から排出されるプラスチック容器等のプラスチック廃材などを粉砕するためのプラスチック廃材粉砕機に関する。
【背景技術】
【０００２】
従来一般の汎用のプラスチック廃材粉砕機は、図３に示したように、ケーシング１０内上部にプラスチック廃材を粗く砕く複数の粗砕刃２２を並べて持つ大径回転刃車２０が櫛刃状をした大型固定刃（図示せず）と噛み合わせた状態で回転自在に軸支され、ケーシング１０内下部に前記大径回転刃車２０と大型固定刃とにより粗く砕かれてケーシング１０内を落下するプラスチック粗砕材をさらに細かく砕く複数の粉砕刃３２を並べて持つ小径回転刃車３０が櫛刃状をした小型固定刃（図示せず）と噛み合わせた状態で回転自在に軸支された構造をしている。
小径回転刃車の回転軸３４は、ケーシング１０外部の一方の側に配置された減速ギヤ機構付きの電動モータの駆動軸５２にカップリング４０を介して連結されている。大径回転刃車の回転軸２４と小径回転刃車の回転軸３４とは、電動モータ５０が配置された側と同じ側の、ケーシング１０外部の一方の側に配置された小径の平歯車６２と大径の平歯車６４との組み合わせからなる歯車機構６０を介して、互いに連結されている。そして、電動モータの駆動軸５２の回転力が、電動モータ５０が配置された側と同じケーシング１０外部の一方の側に配置された歯車機構６０に直接に伝達されるように構成されている。そして、その歯車機構６０を介して互いに連結された大径回転刃車２０と小径回転刃車３０とが、電動モータ５０により、同期回転する構造をしている。
【特許文献１】特開２００４−１７４３８０号公報
【発明の開示】
【発明が解決しようとする課題】
【０００３】
ところで、上記プラスチック廃材粉砕機は、プラスチック成形工場内のプラスチック成形機近くの空いた狭いスペースに設置されて使用される場合が多い。
その理由は、プラスチック成形機から排出されるプラスチックのランナーや不良成形品などのプラスチック廃材を、プラスチック成形機から遠く離れた場所に設置されたプラスチック廃材粉砕機まで手数を掛けていちいち運搬せずに、プラスチック成形機近くに設置されたプラスチック廃材粉砕機に直ちに搬入して、細かく粉砕処理可能とするためである。そして、そのプラスチック成形現場近くで細かく粉砕処理されたプラスチック廃材を、コンパクトに纏めて廃材倉庫等の他所に容易かつ迅速に運搬可能とするためである。
従って、上記プラスチック廃材粉砕機は、できるだけ設置スペースのいらないコンパクト化された軽量で簡易な構造のものが望ましい。
【０００４】
しかしながら、上記プラスチック廃材粉砕機は、図３に示したように、大径回転刃車２０と小径回転刃車３０とが回転自在に上下に並べて収容されたケーシング１０の外に、大径回転刃車２０と小径回転刃車３０とを歯車機構６０を介して同期回転させる電動モータ５０を搭載するベース７０を必要とした。加えて、電動モータ５０を搭載するベース７０には、電動モータ５０と歯車機構６０との間に働くねじれトルクに耐え得る機械的強度のある厚くて頑強な金属製などの大型のベースを用いる必要があって、そのベース７０が、大型で重量のあるものになってしまった。
さらに、上記プラスチック廃材粉砕機は、図３に示したように、大径回転刃車の回転軸２４と小径回転刃車の回転軸３４とを軸支するケーシング１０外部の同じ一方の側に、大径回転刃車２０と小径回転刃車３０とを同期回転させる歯車機構６０と、該歯車機構を作動させる減速機構付きの電動モータ５０とが横に並べて配列されていて、その横方向の全長が長くなってしまった。それと共に、その歯車機構６０と減速機構付きの電動モータ５０とが横に並ぶケーシング１０外部の一方の側の構造が複雑で取り扱いにくいものになってしまった。
そのため、上記従来一般の汎用のプラスチック廃材粉砕機は、プラスチック成形機近くのプラスチック成形工場内の空いた狭いスペース等に設置して、誰でもが手軽にかつ便利に使用できなかった。
【０００５】
本発明は、このような課題に鑑みてなされたもので、プラスチック成形機近くのプラスチック成形工場内の空いた狭いスペース等に設置して、誰でもが手軽にかつ便利に使用可能な、軽量で簡易な構造をした、汎用性のある小型のプラスチック廃材粉砕機を提供することを、目的としている。
【課題を解決するための手段】
【０００６】
このような目的を達成するために、本発明のプラスチック廃材粉砕機は、ケーシング内上部にプラスチック廃材を粗く砕く複数の粗砕刃を並べて持つ大径回転刃車が櫛刃状をした大型固定刃と噛み合わせた状態で回転自在に軸支され、前記ケーシング内下部に前記大径回転刃車と大型固定刃とにより粗く砕かれてケーシング内を落下するプラスチック粗砕材をさらに細かく砕く複数の粉砕刃を並べて持つ小径回転刃車が櫛刃状をした小型固定刃と噛み合わせた状態で回転自在に軸支され、
前記ケーシング外部に前記大径回転刃車の回転軸と小径回転刃車の回転軸とを互いに連結して、それらの大径回転刃車と小径回転刃車とを同期回転させる歯車機構と、該歯車機構を作動させる減速機構付きの電動モータとが配置された構造のプラスチック廃材粉砕機において、
前記電動モータがケーシング外部の一方の側に配置されると共に、前記歯車機構が、電動モータが配置された側とは反対側のケーシング外部の他方の側に配置されて、前記電動モータの駆動軸の回転力が、前記小径回転刃車の回転軸を介して、前記ケーシング外部の他方の側に配置された歯車機構に伝達されるように構成されたことを特徴としている。
【０００７】
このプラスチック廃材粉砕機においては、ケーシング内上部とその下部とに回転自在に軸支された大径回転刃車の回転軸と小径回転刃車の回転軸とを互いに連結して、それらの大径回転刃車と小径回転刃車とを同期回転させる歯車機構が、電動モータが配置された側とは反対側のケーシング外部の他方の側に配置されている。
そのために、その歯車機構が排除された電動モータが配置された側のケーシング外部に、大径回転刃車の回転軸と小径回転刃車の回転軸とを軸支するケーシングの一方の外側壁を露出させた状態とすることができる。そして、その電動モータが配置された側に露出したケーシング外側壁に、減速機構付きの電動モータを、横方向ではなく、縦方向に起立させて搭載できる。そして、その減速機構付きの電動モータが、ケーシング外部の一方の側の横方向に長く突出しないように、その電動モータをケーシング外部の一方の側の横方向に丈短く配置できる。それと共に、その減速機構付きの電動モータを搭載するベースに、上記電動モータが配置された側のケーシング外部に露出したケーシング外側壁を利用できる。そして、電動モータ搭載用のベースを別途設ける必要をなくして、プラスチック廃材粉砕機を簡易化、コンパクト化できる。
【０００８】
また、上記プラスチック廃材粉砕機においては、減速機構付きの電動モータの駆動軸の回転力が、ケーシング内下部に軸支された小径回転刃車の回転軸を介して、電動モータが配置された側とは反対側のケーシング外部の他方の側に配置された歯車機構に伝達されるように構成されている。
そのために、そのケーシング外部の一方の側に露出したケーシング外側壁の縦方向等に搭載された減速機構付きの電動モータの駆動軸を、その電動モータが配置された側のケーシング側壁に軸支された小径回転刃車の回転軸の一方の端部に、傘歯車等を介して、連結できる。そして、その電動モータの駆動力を、小径回転刃車の回転軸を介して、ケーシング外部の他方の側に配置された歯車機構に伝達できる。そして、その歯車機構を電動モータにより作動させて、大径回転刃車と小径回転刃車とを同期回転させることができる。
その結果、大径回転刃車と小径回転刃車とを同期回転させる歯車機構と、該歯車機構を作動させる減速機構付きの電動モータとがケーシング外部の同じ一方の側に並べて配置された従来汎用のプラスチック廃材粉砕機に比べて、その減速機構付きの電動モータが配置されたケーシング外部の一方の側の構造と、その大径回転刃車と小径回転刃車とを同期回転させる歯車機構が配置されたケーシング外部の他方の側の構造とを、簡易化、コンパクト化できる。加えて、その減速機構付きの電動モータの駆動軸と歯車機構とを傘歯車等を介して互いに直接に連結可能となり、その電動モータの駆動軸と歯車機構とを互いに連結するカップリング機構等を設けずに済む分、プラスチック廃材粉砕機の横方向の長さを短縮化できる。
【発明の効果】
【０００９】
以上説明したように、本発明のプラスチック廃材粉砕機によれば、従来汎用のプラスチック廃材粉砕機に比べて、そのプラスチック廃材粉砕機の横方向の長さを大幅に短縮化して、プラスチック廃材粉砕機の簡易化とコンパクト化とが図れる。そして、プラスチック成形機近くのプラスチック成形工場内の空いた狭いスペース等に設置して、誰でもが手軽にかつ便利に使用できる、汎用性のある小型のプラスチック廃材粉砕機を提供可能となる。
【発明を実施するための最良の形態】
【００１０】
次に、本発明のプラスチック廃材粉砕機を、図面に従い説明する。
図１と図２は本発明のプラスチック廃材粉砕機の好適な実施の形態を示している。以下に、このプラスチック廃材粉砕機を説明する。
【００１１】
このプラスチック廃材粉砕機は、図１と図２に示したように、ケーシング１０内上部に、プラスチック廃材を粗く砕く複数の粗砕刃２２を所定間隔あけて横に並べて持つ大径回転刃車２０が櫛刃状をした大型固定刃２６と噛み合わせた状態で回転自在に軸支されている。大型固定刃２６は、図２に示したように、大型回転刃車２０の左右側部をほぼ樋状に連続して囲む薄手のケーシング１０上部内側壁の軸方向に止めねじ２７を用いて固定されている。大型回転刃車２０の左右の端部は、左右一対の起立する厚手のケーシング１０側壁上部に、ベアリング１２を介して回転自在に支持されている。
ケーシング１０内下部には、上記大径回転刃車２０と大型固定刃２６とにより粗く砕かれてケーシング１０内を落下するプラスチック粗砕材をさらに細かく砕く複数の粉砕刃３２を小間隔あけて横に並べて持つ小径回転刃車３０が櫛刃状をした小型固定刃３６と噛み合わせた状態で回転自在に軸支されている。小型固定刃３６は、図２に示したように、小径回転刃車３０の外形に倣ってほぼチャンネル状に形成された、小径回転刃車３０の左右側部を囲む薄手のケーシング１０下部内側壁の軸方向に止めねじ３７を用いて固定されている。小型回転刃車３０の左右の端部は、左右一対の起立する厚手のケーシング１０側壁下部に、ベアリング１４を介して回転自在に支持されている。
大径回転刃車２０の左右側部をほぼ樋状に連続して囲む薄手のケーシング１０側壁と、小径回転刃車３０の左右側部を囲む薄手のケーシング１０側壁とは、一連に連なっていて、それらの薄手のケーシング１０側壁と、左右一対の厚手のケーシング１０側壁とからなるケーシング１０内に、上記大径回転刃車２０と小径回転刃車３０とが回転自在に収容されている。ケーシング１０上端とその下端とは、広く開口している。そして、ケーシング上端開口部１５からケーシング１０内に搬入されたプラスチック廃材が、ケーシング１０内に上下に並べて収容された大型回転刃車２０と小径回転刃車３０とにより順次細かく粉砕された後、その細かく粉砕されたプラスチック粉砕材が、ケーシング下端開口部１７からケーシング１０外部に搬出される構造をしている。
【００１２】
以上の構成は、既述従来汎用のプラスチック廃材粉砕機と同様であるが、図１と図２の粉砕機では、減速機構付きの電動モータ５０がケーシング１０外部の一方の側に配置されると共に、大径回転刃車の回転軸２４と小径回転刃車の回転軸３４とを互いに連結して、それらの大径回転刃車２０と小径回転刃車３０とを同期回転させる歯車機構６０が、電動モータ５０が配置された側とは反対側のケーシング１０外部の他方の側に配置されている。即ち、減速機構付きの電動モータ５０と、大径回転刃車２０と小径回転刃車３０を同期回転させる歯車機構６０とが、ケーシング１０外部の一方の側と他方の側とに分けて、それぞれ配置されている。そして、そのケーシング１０外部の一方の側に配置された減速機構付きの電動モータの駆動軸５２の回転力が、小径回転刃車の回転軸３４を介して、ケーシング１０外部の他方の側に配置された歯車機構６０に伝達されるように構成されている。
【００１３】
具体的には、図１に示したように、ケーシング１０外部の一方の側（図では、右側）に、減速機構付きの電動モータ５０が配置され、その電動モータ５０が配置された側とは反対側のケーシング１０外部の他方の側（図では、左側）に、大径回転刃車の回転軸２４と小径回転刃車の回転軸３４とを互いに連結して、それらの大径回転刃車２０と小径回転刃車３０とを同期回転させる歯車機構６０が配置されている。
電動モータ５０は、歯車機構６０が排除された電動モータ５０が配置された側のケーシング１０外部に露出したケーシング１０の一方の厚手の外側壁（図では、右外側壁）に、横方向ではく、縦方向に起立させて搭載されている。そして、その減速機構付きの電動モータ５０が、ケーシング１０外部の一方の側の横方向に長く突出しないように、その電動モータ５０がケーシング１０外部の一方の側の横方向に丈短く配置されている。それと共に、その減速機構付きの電動モータ５０を搭載するベースに、上記電動モータ５０が配置された側に露出したケーシング１０の一方の機械的強度のある厚手の外側壁が利用されている。
【００１４】
また、そのケーシング１０外部の一方の側に配置された減速機構付きの電動モータの駆動軸５２が、図１に示したように、その電動モータ５０が配置された側のケーシング１０側壁に軸支された小径回転刃車の回転軸３４の一方の端部に、傘歯車５５、５６等を介して、連結されている。そして、その電動モータ５０の駆動力が、小径回転刃車の回転軸３４を介して、ケーシング１０外部の他方の側に配置された歯車機構６０に伝達される構造をしている。そして、その歯車機構６０が、電動モータ５０の駆動力を受けて、大径回転刃車２０と小径回転刃車３０とを同期回転させる構造をしている。
そして、その減速機構付きの電動モータ５０が配置されたケーシング１０外部の一方の側の構造と、大径回転刃車２０と小径回転刃車３０を同期回転させる歯車機構６０が配置されたケーシング１０外部の他方の側の構造とが、取り扱いやすいように簡易化されている。加えて、その減速機構付きの電動モータの駆動軸５２と歯車機構６０とを連結するカップリング機構等が排除されて、その分、プラスチック廃材粉砕機の横方向の長さが短縮化されている。
【００１５】
なお、電動モータの駆動軸５２と小径回転刃車の回転軸３４とは、ハイポイドギヤ（図示せず）を介して互いに連結することも、可能である。そして、電動モータ５０の駆動力を、回転トルク変動少なく、スムーズにかつ騒音少なく小径回転刃車の回転軸３４に伝達可能とすることも、可能である。
【産業上の利用可能性】
【００１６】
本発明のプラスチック廃材粉砕機は、プラスチック成形機近くのプラスチック成形工場内の空いた狭いスペース等に設置して、誰でもが手軽にかつ便利に使用可能なプラスチック材料を原料とする粉砕機に、広く利用可能である。
【図面の簡単な説明】
【００１７】
【図１】本発明のプラスチック廃材粉砕機の正面構造説明図である。
【図２】本発明のプラスチック廃材粉砕機の側面構造説明である。
【図３】従来汎用のプラスチック廃材粉砕機の正面構造説明図である。
【符号の説明】
【００１８】
１０ ケーシング
２０ 大径回転刃車
２２ 粗砕刃
２６ 大型固定刃
３０ 小径回転刃車
３２ 粉砕刃
３６ 小型固定刃
５０ 減速機構付きの電動モータ
６０ 歯車機構
６２ 平歯車
６４ 平歯車
７０ ベース
【図１】
2007244967.tif 000003
【図２】
2007244967.tif 000004
【図３】
2007244967.tif 000005